(57)【要約】【課題】多目的の用途に適用することができ、そのうえ、構造がシンプルな容器組立体を提供する。【解決手段】有底円筒状の直立する第１容器と、ほぼ正多角形の横断面形状を有し、該第１容器とほぼ同じ高さの直立する第２容器と、ほぼ正多角形の横断面形状を有し、該正多角形の辺の数が前記第２容器の横断面形状の正多角形の辺の数より少なく、前記第１容器および第２容器とほぼ同じ高さの直立する第３容器とが長手方向に一列に並ぶように組み合わされてなることを特徴としている。【選択図】図１
0003104819.tif 000002
【実用新案登録請求の範囲】
【請求項１】
有底円筒状の直立する第１容器と、
ほぼ正多角形の横断面形状を有し、該第１容器とほぼ同じ高さの直立する第２容器と、
ほぼ正多角形の横断面形状を有し、該正多角形の辺の数が前記第２容器の横断面形状の正多角形の辺の数より少なく、前記第１容器および第２容器とほぼ同じ高さの直立する第３容器と
が長手方向に一列に並ぶように組み合わされてなる容器組立体。
【請求項２】
前記第１容器内に第２容器が挿入され、該第２容器内に第３容器が挿入されてなる請求項１記載の容器組立体。
【請求項３】
前記第１容器内に第３容器が挿入され、該第３容器内に第２容器が挿入されてなる請求項１記載の容器組立体。
【請求項４】
前記第２容器内に第１容器が挿入され、該第１容器内に第３容器が挿入されてなる請求項１記載の容器組立体。
【請求項５】
前記第２容器内に第３容器が挿入され、該第３容器内に第１容器が挿入されてなる請求項１記載の容器組立体。
【請求項６】
前記第３容器内に第１容器が挿入され、該第１容器内に第２容器が挿入されてなる請求項１記載の容器組立体。
【請求項７】
前記第３容器内に第２容器が挿入され、該第２容器内に第１容器が挿入されてなる請求項１記載の容器組立体。
【請求項８】
前記第２容器がほぼ正方形の横断面形状を有し、前記第３容器がほぼ正三角形の横断面形状を有する請求項１、２、３、４、５、６または７記載の容器組立体。
【請求項９】
前記第１容器の開口部、第２容器の開口部、および第３容器の開口部それぞれに鍔部が設けられてなる請求項１、２、３、４、５、６、７または８記載の容器組立体。
【考案の詳細な説明】
【技術分野】
【０００１】
本考案は容器組立体に関する。さらに詳しくは、直立する３つの容器が一列にならぶように組み合わされた容器組立体に関する。
【背景技術】
【０００２】
特許文献１には、図６に示されるような、鉛筆やペンなどの文房具の容器２０が開示されている。この容器１０は、仕切壁３４、３６、３８、４０によって複数の部分３５、４２、４４、４５に仕切られており、図６の右端の部分４５は鉛筆立てとして用いられ、図６の左端の部分３５はクリップ入れとして用いられ、これらの間の部分３４、４４、４５は封筒入れとして用いられることが意図されている。
【０００３】
また、特許文献２には、図７に示されるように、内壁２４、外壁２６、底２８、内壁２４と外壁２６との間に挿入された波状の構造体３０を備えた鉛筆立てが開示されている。さらに、特許文献２には、図８に示されるように、大きさの異なる仕切り壁６０Ａ、６０Ｂおよび６０Ｃを入れ子式に用いることが開示されている。
【０００４】
【特許文献１】米国特許第４９９１７１２号明細書
【特許文献２】米国特許出願公開第２００３００７９３８５号明細書
【考案の開示】
【考案が解決しようとする課題】
【０００５】
特許文献１に開示されている容器のように、構造が複雑で、複数の部分を備えた容器は、それぞれの部分が特定の物品を収容するように意図されているため、他の目的に転用することが困難であり、複数の部分が却って邪魔になり、使い勝手が悪く、結局は廃棄せざるを得ないという欠点がある。
【０００６】
また、特許文献２の鉛筆立ての場合も、３種類の大きさの仕切り壁を入れ子式に用いることを開示しているだけで、複数の容器を分離して、それぞれ異なる目的に使用できるものではない。
【０００７】
本考案は、かかる従来の容器の問題点を解消し、多目的の用途に適用することができ、そのうえ、構造がシンプルな容器組立体を提供することを目的としている。
【課題を解決するための手段】
【０００８】
本考案の容器組立体は、有底円筒状の直立する第１容器と、
ほぼ正多角形の横断面形状を有し、該第１容器とほぼ同じ高さの直立する第２容器と、
ほぼ正多角形の横断面形状を有し、該正多角形の辺の数が前記第２容器の横断面形状の正多角形の辺の数より少なく、前記第１容器および第２容器とほぼ同じ高さの直立する第３容器と
が長手方向に一列に並ぶように組み合わされてなる
ことを特徴としている。
【０００９】
また、前記第１容器内に第２容器が挿入され、該第２容器内に第３容器が挿入されてなることが好ましい。
【００１０】
また、前記第１容器内に第３容器が挿入され、該第３容器内に第２容器が挿入されるようにすることもできる。
【００１１】
また、前記第２容器内に第１容器が着脱自在に挿入され、該第１容器内に第３容器が挿入されてなるようにすることもできる。
【００１２】
また、前記第２容器内に第３容器が挿入され、該第３容器内に第１容器が挿入されてなるようにすることもできる。
【００１３】
また、前記第３容器内に第１容器が挿入され、該第１容器内に第２容器が挿入されてなるようにすることもできる。
【００１４】
また、前記第３容器内に第２容器が着脱自在に挿入され、該第２容器内に第１容器が挿入されてなるようにすることもできる。
【００１５】
また、前記第２容器がほぼ正方形の横断面形状を有し、前記第３容器がほぼ正三角形の横断面形状を有することが好ましい。
【００１６】
また、前記第１容器の開口部、第２容器の開口部、および第３容器の開口部それぞれに鍔部が設けられてなることが好ましい。
【考案の効果】
【００１７】
本考案の容器組立体によれば、有底円筒状の直立する第１容器と、ほぼ正多角形の横断面形状を有し、該第１容器とほぼ同じ高さの直立する第２容器と、ほぼ正多角形の横断面形状を有し、該正多角形の辺の数が前記第２容器の横断面形状の正多角形の辺の数より少なく、前記第１容器および第２容器とほぼ同じ高さの直立する第３容器とが長手方向に一列に並ぶように組み合わされてなる構成を有しているので、構造がシンプルであり、そのうえ、第１容器、第２容器および第３容器を必要に応じて同一の用途に使うことも、異なる用途に使うこともできる。
【考案を実施するための最良の形態】
【００１８】
添付図面を参照しながら、本考案の容器組立体を以下に詳細に説明する。
【００１９】
図１は本考案の一実施の形態にかかわる容器組立体を示す斜視図、図２は図１の容器組立体を構成する第１容器を示す斜視図、図３は図１の容器組立体を構成する第２容器を示す斜視図、図４は図１の容器組立体を構成する第３容器を示す斜視図、図５は図１の容器組立体の横断面説明図である。
【００２０】
図１および５を参照すると、本実施の形態の容器組立体１０は、有底円筒状の直立する第１容器１と、ほぼ正方形の横断面形状を有する直立する第２容器２と、ほぼ正三角形の横断面形状を有する直立する第３容器３とから構成され、当該３つの容器１、２、３が長手方向に一列に並ぶように組み合わされている。しかし、本考案は、かかる構成に限られない、たとえば、第２容器２として、正五角形などの正多角形の横断面形状を有する容器を採用すれば、第３容器３として、第２容器２の横断面形状である正五角形の辺の数より少ない辺を有する正多角形（すなわち、正三角形または正方形）の横断面形状を有する容器を採用することができる。
【００２１】
また、図１および５を参照すると、第１容器１内に第２容器２が内接し、挿入されており、かつ第２容器２内に第３容器３が内接し、挿入されている。この構成が、容器１、容器２および容器３の容積を加算した場合に、最大の容積が得られるという利点がある。
【００２２】
しかし、かかる構成に限られない。たとえば、第１容器１内に第３容器３を内接し、挿入し、かつ第３容器３内に第２容器２を内接し、挿入することもできる。
【００２３】
さらに、第２容器２を第１容器１、第２容器２および第３容器３のうちで最も大きい容器とすることも可能である。この場合、第２容器２内に第１容器１を内接し、挿入し、かつ第１容器１内に第３容器３を内接し、挿入することができる。また、第２容器２内に第３容器を内接し、挿し、第３容器３内に第１容器１を内接し、挿入することもできる。
【００２４】
そのうえさらに、第３容器３を第１容器１、第２容器２および第３容器３のうちで最も大きい容器とすることも可能である。この場合、第３容器３内に第１容器１を内接し、挿入し、かつ第１容器１内に第２容器を内接し、挿入することができる。また、第３容器３内に第２容器２を内接し、挿入し、かつ第２容器２内に第１容器１を内接し、挿入することもできる。
【００２５】
本考案の容器組立体１０は、第１容器１、第２容器２および第３容器３を分離せず、組立体１０の状態（図１参照）でペン立てとして使用したり、歯ブラシ立てとして使用したり、箸筒として使用したりすることはもちろん可能であるが、図２〜４に示されるように、たとえば、第１容器１（図２参照）をペン立てとして使用し、第２容器２（図３参照）を歯ブラシ立てとして使用し、第３容器３（図４参照）を箸筒として使用したり、第１容器１（図２参照）と第２容器（図３参照）との組み合わせ、第２容器２（図３参照）と第３容器３（図４参照）との組み合わせで使用することも可能である。
【００２６】
つぎに、図２、図３および図３を参照すると、第１容器１（図２参照）、第２容器２（図３参照）および第３容器３（図４参照）の開口部に鍔Ｆが設けられている。このように鍔Ｆを設けておくと、図１に示すように、３つの容器１、２，３を組み合わせると、第２容器２の鍔Ｆだけが第１容器１に内接し、第３容器の鍔Ｆだけが第２容器２に内接するので接触面積が少なくてすむため、３つの容器１、２、３の着脱の操作を容易に行えるという利点があるので、好ましい。
【００２７】
また、第１容器１、第２容器２および第３容器３の側面に、適宜複数の孔を設けることもできる。このように、孔を設けると、第１容器１、第２容器２および第３容器３のいずれかを箸筒や歯ブラシ立てに適用したときに、通気性が向上するため、衛生上の観点から好ましい。
【００２８】
なお、本考案の容器組立体１０の素材としては、とくに限定されることはないが、成形性の観点から合成樹脂が好ましい。
【図面の簡単な説明】
【００２９】
【図１】本考案の一実施の形態にかかわる容器組立体を示す斜視図である。
【図２】図１の容器組立体を構成する第１容器を示す斜視図である。
【図３】図１の容器組立体を構成する第２容器を示す斜視図である。
【図４】図１の容器組立体を構成する第３容器を示す斜視図である。
【図５】図１の容器組立体の横断面説明図である。
【図６】従来の容器を示す説明図である。
【図７】従来の筆立てを示す説明図である。
【図８】図７の筆立ての仕切り壁を示す説明図である。
【符号の説明】
【００３０】
１  第１容器
２  第２容器
３  第３容器
１０  容器組立体
【図１】
0003104819.tif 000003
【図２】
0003104819.tif 000004
【図３】
0003104819.tif 000005
【図４】
0003104819.tif 000006
【図５】
0003104819.tif 000007
【図６】
0003104819.tif 000008
【図７】
0003104819.tif 000009
【図８】
0003104819.tif 000010